(57)【特許請求の範囲】
【請求項１】
葺設状態における下方の平板瓦を貫通して屋根下地に打ち込まれるＬ型釘と、該Ｌ型釘の中間部に、下方の平板瓦の上面に当接するストッパーを設け、該ストッパーを、屋根下地に打ち込まれた状態におけるＬ型釘の屈曲形成された上方の係止部が、葺設状態における上方の平板瓦のアンダーラップ部の直上に位置する様に設け、上記ストッパーを、Ｌ型釘への外嵌筒の下方部に鍔部を周設して形成したことを特徴とする平板瓦用固定具。
【請求項２】
ストッパーを、下方の平板瓦におけるＬ型釘の貫通部位を閉鎖する様に設けたことを特徴とする請求項１記載の平板瓦用固定具。
【請求項３】
ストッパーの下部にパッキンを設けたことを特徴とする請求項１又は２記載の平板瓦用固定具。
【発明の詳細な説明】
【０００１】
【発明の属する技術分野】
本発明は、葺設状態における隣接する上下方の平板瓦を固定する平板瓦用固定具及びそれを使用した平板瓦の葺設方法に関する。
【０００２】
【従来の技術】
従来、葺設状態における隣接する上下方の平板瓦を固定する方法として、特開平８ー９３１４１号公報に「桟覆部と差込受部との同段葺き合わせ部分がほぼ瓦１枚の厚さに納まる葺き合わせ構造をとる厚平形系瓦において、差込受部の頭部側端に導水帯と水返しによって分離され、かつ瓦裏面と略同じレベルの表面を有する係止受部を形成し、尻部側の中央付近には瓦表面より高い裏面部分を有して瓦本体の尻部の外側に突出した係止突起を形成してなる瓦であって、葺き合わせたとき斜め下段側瓦の係止突起が斜め上段側瓦の係止受部を抑止し振れ止め係止する係止耐風厚平形瓦」が記載されている。
【０００３】
【発明が解決しようとする課題】
しかし、上記係止耐風厚平形瓦にあっては、確かに一般的な瓦と同様にして葺設してゆけば、斜め下段側瓦に斜め上段側瓦の頭側が固定されるが、瓦表面より係止突起が突出しているため、製造過程、及びその後の梱包、運搬、葺設作業時に係止突起が破損し易い等解決せねばならない課題があった。
【０００４】
【課題を解決するための手段】
本発明は、上記従来技術に基づく、係止突起が破損し易い課題に鑑み、葺設状態における下方の平板瓦を貫通して屋根下地に打ち込まれるＬ型釘と、該Ｌ型釘の中間部に、下方の平板瓦の上面に当接するストッパーを設け、該ストッパーを、屋根下地に打ち込まれた状態におけるＬ型釘の屈曲形成された上方の係止部が、葺設状態における上方の平板瓦のアンダーラップ部の直上に位置する様に設け、上記ストッパーを、Ｌ型釘への外嵌筒の下方部に鍔部を周設して形成した平板瓦用固定具を下方の平板瓦の釘孔を貫通させ屋根下地に打ち込んで、下方の平板瓦を屋根下地に固定し、上方の平板瓦のアンダーラップ部の頭側を平板瓦用固定具の上方係止部に係止させる様にして葺設することによって、かかる平板瓦とは別体の固定具により上下両方の平板瓦を固定可能にして、上記課題を解決する。
【０００５】
【発明の実施の形態】
以下本発明の一実施例を図面に基づいて説明する。
図１は、本発明に係る平板瓦用固定具を使用した平板瓦の葺設状態を示す平面図であり、図２は、図１のＸーＸ断面の要部拡大図であり、図３は、図１のＹーＹ断面の要部拡大図である。
図２、３に示す様に、葺設状態において上下方向に隣接する下方の平板瓦Ｗの尻側を貫通させて屋根下地Ｂに打ち込んで、上方の平板瓦Ｗａの頭側を固定する平板瓦用固定金具１にあっては、上端側を直角に屈曲して上方の平板瓦Ｗａの係止受部Ｄへの係止部２が形成されたＬ型釘３の中間部に、下方の平板瓦Ｗの表面に当接するストッパー４が設けられている。
【０００６】
又、ストッパー４にあっては、Ｌ型釘３における、係止部２が係止受部Ｄの直上になる位置に固定されており、かかる位置は対象となる平板瓦Ｗ、Ｗａの種類、形状により異なることから、それに合致した平板瓦用固定金具１を使用する。
又、図２、３に示す様に、ストッパー４は、Ｌ型釘３への外嵌筒８の下方部に鍔部９を周設して形成されている。
具体的には、鍔部９は、外嵌筒８の下部を徐々に拡径してテーパー状に形成されている。
尚、ストッパー４にあっては、下方の平板瓦Ｗの尻側に形成された平板瓦用固定金具１（Ｌ型釘３）の貫通部位５を閉鎖する様に鍔状に形成するのが望ましく、更にストッパー４の下方に防水用のパッキン６を設けるのが望ましい。
【０００７】
又、下方の平板瓦Ｗにおける平板瓦用固定金具１の貫通部位５にあっては、通常の釘穴７であるが、図示しないが釘穴７とは別に貫通部位５を形成しても良い。
又、係止受部Ｄとしては、図２、３に示す様に、上方の平板瓦Ｗａにおけるアンダーラップ部ＵＬの頭側としている。
【０００８】
次に本発明に係る平板瓦用固定金具を使用した平板瓦の葺設方法について説明する。
先ず、屋根下地Ｂ上に載置された平板瓦Ｗの尻側の貫通部位５内を貫通させた平板瓦用固定金具１を、ストッパー４が平板瓦Ｗの上面に当接するまで打ち込むことを桁行方向に繰り返し行う。
次に、平板瓦Ｗと平板瓦用固定金具１の係止部２間に、葺設する平板瓦Ｗａの係止受部Ｄを差し込む様にして平板瓦Ｗａを桁行方向に葺設していく。
すると、平板瓦用固定金具１により下方の平板瓦Ｗが屋根下地Ｂに固定され、而も上方の平板瓦Ｗａにおける係止受部Ｄの直上に係止部２が位置して、平板瓦Ｗａの頭側も固定されることから、強風時にあっても平板瓦Ｗａが捲くれ上がらない。
【０００９】
【発明の効果】
要するに本発明は、葺設状態における下方の平板瓦Ｗを貫通して屋根下地Ｂに打ち込まれるＬ型釘３の中間部に、下方の平板瓦Ｗの上面に当接するストッパー４を設け、該ストッパー４を、屋根下地Ｂに打ち込まれた状態におけるＬ型釘３の屈曲形成された上方の係止部２が、葺設状態における上方の平板瓦Ｗａのアンダーラップ部ＵＬの直上に位置する様に設けたので、１本の平板瓦用固定金具１で下方の平板瓦Ｗを屋根下地Ｂに固定すると共に、上方の平板瓦Ｗａの頭側をも固定することが出来、而も上方の平板瓦Ｗａの頭側が固定されることで、構築された瓦屋根に耐風機能を具備させることが出来る。
更に、ストッパー４を設けたことで、打ち込まれた平板瓦用固定金具１における係止部２と下方の平板瓦Ｗ間に、上方の平板瓦Ｗａの係止受部Ｄを確実に差込み可能な空間が自動的に形成されるため、上方の平板瓦Ｗａの葺設作業を支障なく行うことが出来る。
而も、ストッパー４を、Ｌ型釘３への外嵌筒８の下方部に鍔部９を周設して形成したので、外嵌筒８の長さにより実際にストッパー４として機能する鍔部９のＬ型釘３に対する位置が自動的に決定されるため、ストッパー４の位置決めを簡略化することが出来、且つ鍔部９により貫通部位５を閉鎖することが出来る。
【００１０】
又、ストッパー４を、下方の平板瓦ＷにおけるＬ型釘３の貫通部位５を閉鎖する様に設けたので、上下方の平板瓦Ｗ、Ｗａ間から吹き込んだ雨水の貫通部位５から屋根下地Ｂへの侵入を防止することが出来る。
更に、ストッパー４の下部にパッキン６を設けたので、かかるパッキン６が下方の平板瓦Ｗの上面に密着して貫通部位５を閉鎖するため、該貫通部位５からの雨水侵入を更に確実に防止することか出来る等その実用的効果甚だ大である。
【図面の簡単な説明】
【図１】  本発明に係る平板瓦用固定具を使用した平板瓦の葺設状態を示す平面図である。
【図２】  図１のＸーＸ断面の要部拡大図である。
【図３】  図１のＹーＹ断面の要部拡大図である。
【符号の説明】
２    係止部
３    Ｌ型釘
４    ストッパー
５    貫通部位
６    パッキン
８    外嵌筒
９    鍔部
Ｂ    屋根下地
Ｄ    係止受部
ＵＬ  アイダーラップ部
Ｗ    下方の平板瓦
Ｗａ  上方の平板瓦
【図１】
0003851033.tif 000002
【図２】
0003851033.tif 000003
【図３】
0003851033.tif 000004